(57)【要約】【課題】  ディスク装置の温度上昇によって動画撮影を中断することを防ぐことのできる撮影装置を提供する。【解決手段】  デジタルカメラ２は、スロット１１ａ，１１ｂと、メディアコントローラ６５と、サーミスタ６７ａ、６７ｂと、温度検出回路６８とを備え、スロット１１ａ，１１ｂは、磁気ディスク装置４０が装填可能である。一方のスロットにセットされた磁気ディスク装置４０に対して動画を記録している際に、サーミスタ６７ａ，６７ｂは、温度検出回路６８とともに、記録動作中の磁気ディスク装置４０の温度を測定し、測定された温度が予め設定された所定温度以上の場合には、メディアコントローラ６５が、他方のスロットにセットされた磁気ディスク装置４０へ記録先を切り替える。【選択図】        図５
2005117167.tif 000002
【特許請求の範囲】
【請求項１】
動画撮影手段と、撮影された動画データが記録されるストレージメディアが着脱自在にセットされる少なくとも第１及び第２のスロットとを備え、前記各スロットのうち少なくとも１つは、前記ストレージメディアとしてディスク装置が装填可能な撮影装置において、
前記ディスク装置の温度を測定する温度測定手段と、一方のスロットにセットされた前記ディスク装置に対して動画を記録している際に、前記温度が予め設定された所定温度以上の場合には、他方のスロットにセットされたストレージメディアへ記録先を切り替える記録先切り替え手段とを設けたことを特徴とする撮影装置。
【発明の詳細な説明】
【技術分野】
【０００１】
本発明は、動画データが記録されるストレージメディアとして、ディスク装置が装填可能な撮影装置に関するものである。
【背景技術】
【０００２】
動画撮影が可能なデジタルカメラ（撮影装置）として、動画撮影を主とするデジタルビデオカメラ以外に、静止画撮影を主とするデジタルスチルカメラに、動画撮影機能を搭載したものがある。これらのデジタルカメラにより撮影される大容量の動画データを記録するストレージメディアとして、フラッシュメモリ等の半導体メモリは、メモリのビット単価が高く、大容量記録には不向きであるため、近年、磁気ディスク（ハードディスク）のような安価で大容量なストレージメディアの使用が要求されている。そこで、ストレージメディアが着脱自在にセットされる複数のスロットを備え、これらのスロットのうち少なくとも１つは、磁気ディスク装置が装填可能であって、静止画撮影に加え、動画撮影が可能なデジタルカメラが知られている（例えば、特許文献１）。
【０００３】
【特許文献１】特開２００１−１３６４７５号公報
【発明の開示】
【発明が解決しようとする課題】
【０００４】
しかしながら、磁気ディスク装置は、半導体メモリカードとは異なり、駆動モータにより磁気ディスクを回転させながら記録するため、長時間連続して動作させると発熱量が大きく、装置本体が高温に達する。磁気ディスク装置は、安全性を考慮して、製品仕様により動作保証温度が規定されている、この動作保証温度以上に達すると、記録動作が不安定になったり、装置事態が破損する危険もある。
【０００５】
静止画の記録とは異なり動画の記録は間断なく行なわれるため、動画撮影中は磁気ディスク装置の温度が上昇を続ける。このため、動画撮影途中に磁気ディスクが前記動作保証温度以上に達した場合には、磁気ディスク装置を冷却するために動画撮影を中断せざるを得なかった。もちろん、磁気ディスク装置の冷却用に冷却ファンを設けることも考えられるが、デジタルスチルカメラなどの携帯用機器では、本体に設置スペースを確保する余裕がなく現実的でない。
【０００６】
本発明は、上記問題を解決するものであり、動画撮影が長時間に及ぶ場合でも動画撮影を中断する必要がない撮影装置を提供することを目的とする。
【課題を解決するための手段】
【０００７】
上記目的を達成するために、本発明の撮影装置は、動画撮影手段と、撮影された動画データが記録されるストレージメディアが着脱自在にセットされる少なくとも第１及び第２のスロットとを備え、前記各スロットのうち少なくとも１つは、前記ストレージメディアとしてディスク装置が装填可能な撮影装置において、前記ディスク装置の温度を測定する温度測定手段と、一方のスロットにセットされた前記ディスク装置に対して動画を記録している際に、前記温度が予め設定された所定温度以上の場合には、他方のスロットにセットされたストレージメディアへ記録先を切り替える記録先切り替え手段とを設けたことを特徴とするものである。
【発明の効果】
【０００８】
本発明よれば、ディスク装置に対して動画を記録している際に、このディスク装置の温度が予め設定された所定温度以上の場合には、動画の記録先を切り替えるので、動画撮影が長時間に及ぶ場合でも動画撮影を中断する必要がない撮影装置を提供することができる。
【発明を実施するための最良の形態】
【０００９】
本発明の実施の形態として、動画撮影機能を有するデジタルスチルカメラ（以下、デジタルカメラと称する）を用いて説明を行なう。図１及び図２に示すように、本発明を実施したデジタルカメラ２は、カメラ本体３の前面に、撮影レンズ４が組み込まれたレンズ鏡筒５、ファインダ６を構成する対物側ファインダ窓７、シャッタレリーズ操作に用いるシャッタボタン８、被写体に向けてストロボ光を照射するストロボ発光部９等が設けられている。
【００１０】
レンズ鏡筒５は、デジタルカメラ２が電源オフ状態にある際に、カメラ本体３の前面に設けられた鏡筒収納部１０に収納され、電源のオンとともにカメラ本体３の前面から突出する。
【００１１】
カメラ本体３には、バッテリ３０がセットされるバッテリ室が設けられている。カメラ本体３の底面には、バッテリ室にアクセスするための開口部３１が設けられている。この開口部３１は、蓋部材３２によって開閉される。バッテリ室には、充電可能なバッテリ３０がセットされる。
【００１２】
カメラ本体３の背面には、ファインダ６を構成する接眼側ファインダ窓２０、操作部２１、ＬＣＤ２２等が設けられている。ＬＣＤ２２は、撮影済の画像を再生表示するとともに、各種の設定画面を表示する。また、構図決定用の確認画像（スルー画）を表示する電子ビューファインダとしても機能する。操作部２１内には、モード切替ボタン２４と、その他各種設定等を行なう複数の操作ボタン２５〜２７とが設けられており、モード切替ボタン２４は、静止画モードと動画モードとの撮影モードの切り替えを行なう。
【００１３】
カメラ本体３の側面には、磁気ディスク装置４０が着脱自在にセットされる第１及び第２の２つのスロット１１ａ，１１ｂが設けられている。各スロット１１ａ，１１ｂは、その内部に塵芥が進入しないように開閉式の保護カバー１２によって保護されている。磁気ディスク装置４０は、撮影した画像データを記憶するストレージメディアである。カード形状をした小型の磁気ディスク装置４０として、例えばマイクロドライブが知られている。マイクロドライブは、例えば１Ｇバイトの記憶容量を持つ。
【００１４】
図３は、磁気ディスク装置４０の基本構成を示す概略図であり、磁気ディスク装置４０は、図示しない駆動モータと、駆動モータの回転軸４２ａに取り付けられた磁気ディスク４１と、磁気ディスク４１に記録されるデータの読み書きを行なうヘッド４３と、デジタルカメラ２のインターフェース６６ａ，６６ｂと電気的に接続可能とするコネクタ部４４とによって構成されている。
【００１５】
磁気ディスク装置４０は、駆動モータによって磁気ディスク４１を回転させて記録動作を行なうため、半導体メモリと比較すると、消費電力が大きく、発熱量も大きい。連続して使用すると、動作が保証される動作保証温度以上に達してしまい、そうなると動作が不安定になり、書き込みエラーが発生したり、ひどい場合には、磁気ディスク装置４０が破損してしまう場合もある。このため、磁気ディスク装置４０が動作保証温度以上に達した場合には、動作を停止させる必要がある。
【００１６】
第１及び第２のスロット１１ａ，１１ｂの一方に磁気ディスク装置４０がセットされている場合には、その磁気ディスク装置４０が画像データの記録先として設定される。他方、第１及び第２のスロット１１ａ，１１ｂの両方に磁気ディスク装置４０がセットされている場合には、第１のスロット１１ａにセットされた磁気ディスク装置４０から記録が開始され、当該磁気ディスク装置４０の容量一杯まで記録されると、第２のスロット１１ｂにセットされた磁気ディスク装置４０へ記録先が切り替えられる。これにより、１つの磁気ディスク装置４０に入りきらない長時間に及ぶ動画も記録できるようにしている。
【００１７】
静止画の記録は、動画の記録と比較して短時間で終了し、次回撮影までの間に間隔があるので、その間に磁気ディスク装置４０が冷却されるため、磁気ディスク装置４０が動作保証温度以上に達することはない。しかし、動画の場合には、磁気ディスク装置４０が連続動作するため、撮影環境によっては、磁気ディスク装置４０の温度が動作保証温度以上に達してしまう場合がある。そのため、デジタルカメラ２では、記録中の磁気ディスク装置４０の温度を測定し、測定した実測温度が予め設定された所定温度以上に達した場合には、他方の磁気ディスク装置４０へ切り替えるようにしている。ここで、所定温度は、動作保証温度に応じて決められる温度であり、動作保証温度以下の温度に設定される。これにより、高温に達した磁気ディスク装置４０の冷却時間を確保するとともに、その間、他方の磁気ディスク装置４０で動画記録を継続することができるから、動画記録が中断されることはない。
【００１８】
図４は、本発明のデジタルカメラ２の電気的な基本構成を示すブロック図であり、図示しないが、レンズ鏡筒５には、焦点調整を行なうフォーカス用モータと、ズーミングを行なうズーム用モータとが組み込まれている。これらのモータは、デジタルカメラ２全体を制御するＣＰＵ５０に接続されたモータドライバ５１によって駆動制御される。また、レンズ鏡筒５内には、絞り兼用のシャッタユニットが組み込まれており、このシャッタユニットもＣＰＵ５０によって制御される。
【００１９】
レンズ鏡筒５の背後には、撮影レンズ４を透過した被写体光が撮像されるＣＣＤ５３が配置されている。このＣＣＤ５３には、ＣＰＵ５０によって制御されるタイミングジェネレータ５２からタイミング信号（クロック信号）が入力される。ＣＣＤ５３から出力された信号は、相関二重サンプリング回路（ＣＤＳ）５４に入力され、ＣＣＤ５３の各セルの蓄積電荷量に正確に対応したＲ、Ｇ、Ｂの画像データとして出力される。ＣＤＳ５４から出力された画像データは、増幅器（ＡＭＰ）５５で増幅され、Ａ／Ｄ変換器５６でデジタルデータに変換される。動画撮影の際には、ＣＣＤ５３は、予め設定されたフレームレートに応じて駆動されて、連続的にフレームを出力する。
【００２０】
Ａ／Ｄ変換器５６から出力された画像データは、画像信号処理回路６０を介して、一旦、バッファメモリ６３に書き込まれる。ビデオメモリ６２は、ＬＣＤ２２へ画像を表示する際に使用されるメモリである。画像信号処理回路６０は、バッファメモリ６３へアクセスして、画像データに対して、色補正処理、ホワイトバランス処理などの各種の画像補正処理を施す。また、画像信号処理回路６０は、撮影時には、画像補正処理が施された画像データに対してデータ圧縮処理を施す。この圧縮された画像データが磁気ディスク装置４０へ記録される。また、画像信号処理回路６０は、画像再生時には、磁気ディスク装置４０から読み出された圧縮データに対して伸張処理を行なう。メディアコントローラ６５は、画像信号処理回路６０と磁気ディスク装置４０との間で画像データの入出力を制御するとともに、第１及び第２のスロット１１ａ，１１ｂの両方に磁気ディスク装置４０がセットされている場合には、それらの切り替え制御を行なう。
【００２１】
第１及び第２の各スロット１１ａ，１１ｂ内には、それぞれインターフェース６６ａ，６６ｂと、サーミスタ６７ａ，６７ｂとが設けられている。インターフェース６６ａ，６６ｂは、各スロット１１ａ，１１ｂにセットされた磁気ディスク装置４０とメディアコントローラ６５とをデータ通信可能に接続する。
【００２２】
各サーミスタ６７ａ，６７ｂは、温度検出回路６８とともに、磁気ディスク装置４０の温度を測定する温度測定手段を構成する。サーミスタ６７ａ，６７ｂは、周知のように、温度変化に伴って抵抗値が変化する素子であり、各スロット１１ａ，１１ｂにセットされた磁気ディスク装置４０の外面と接触する位置に配置されている。温度検出回路６８は、サーミスタ６７ａ，６７ｂの抵抗値に応じて磁気ディスク装置４０の温度変化を検出し、それに応じた電圧信号を温度データ（実測温度）としてＣＰＵ５０に送る。ＣＰＵ５０は、実測温度と、予め設定された所定温度とを比較して、実測温度が前記所定温度以上に達した場合には、メディアコントローラ６５に対して、画像データの記録先を切り替えるように命令する。
【００２３】
次に、上記のように構成されたデジタルカメラ２の作用について図５のフローチャートに基づいて説明する。第１及び第２の２つのスロット１１ａ，１１ｂの両方に磁気ディスク装置４０をセットし、動画撮影を行なう。撮影者が、モード切替ボタン２４により撮影モードを動画モードに設定し、シャッタボタン８を押下すると、動画撮影が開始する。デフォルトの記録先は、第１のスロット１１ａに設定されているので、撮影された動画データは、先ず、第１のスロット１１ａにセットされた磁気ディスク装置４０へ記録される。
【００２４】
当該磁気ディスク装置４０の温度が、所定温度以下の間は、その磁気ディスク装置４０が記録動作を続ける。この磁気ディスク装置４０の温度が、所定温度以上に達した場合には、メディアコントローラ６５は動画データの記録先を第２のスロット１１ｂにセットされた磁気ディスク装置４０へ切り替える。第１のスロット１１ａ内の磁気ディスク装置４０は、停止して冷却される。第２のスロット１１ｂ内の磁気ディスク装置４０の温度が所定温度以上に達した場合には、再び第１のスロット１１ａ内の磁気ディスク装置４０へ記録先が切り替えられる。
【００２５】
なお、上記実施形態では、デジタルカメラ２を、２つのスロット１１ａ、１１ｂを備えるように構成したが、これに限られず、スロットの数を３つ以上としても良い。また、ストレージメディアとしては、すべて磁気ディスク装置を使用しても良いし、磁気ディスク装置と他の半導体メモリカードなどの他のストレージメディアを混在させても良い。
【００２６】
また、上記実施形態では、記録動作中に発熱を伴うストレージメディアとして磁気ディスク装置を例として説明したが、これに限られず、本発明は、光ディスクや光磁気ディスクなどのディスク装置においても利用することができる。
【００２７】
また、上記実施形態では、静止画撮影を主とするデジタルスチルカメラの例について説明したが、これに限られず、本発明は、複数のスロットのうち少なくとも１つのスロットに磁気ディスク装置が装填可能であれば、動画撮影を主とするデジタルビデオカメラ等においても利用することができる。さらに、本発明は、上記のデジタルスチルカメラやデジタルビデオカメラが内蔵されたカメラ付き携帯電話においても利用することができる。
【図面の簡単な説明】
【００２８】
【図１】本発明を実施したデジタルカメラの前面外観斜視図である。
【図２】本発明を実施したデジタルカメラの背面外観斜視図である。
【図３】磁気ディスク装置の構成を示す概略図である。
【図４】本発明を実施したデジタルカメラの電気的構成を示すブロック図である。
【図５】動画撮影時の動作を説明するフローチャートである。
【符号の説明】
【００２９】
２    デジタルカメラ
３    カメラ本体
２２    ＬＣＤ
２４    モード切替ボタン
１１ａ，１１ｂ    スロット
４０    磁気ディスク装置
４１    磁気ディスク
５０    ＣＰＵ
６５    メディアコントローラ
６６ａ，６６ｂ    インターフェース
６７ａ，６７ｂ    サーミスタ
６８    温度検出回路
【図１】
2005117167.tif 000003
【図２】
2005117167.tif 000004
【図３】
2005117167.tif 000005
【図４】
2005117167.tif 000006
【図５】
2005117167.tif 000007